(57)【要約】【課題】フィルタ清掃機能を有する空気調和装置の室内ユニットであって、フィルタを清掃するブラシの帯電を永続的に回避することができる室内ユニットを提供する。【解決手段】室内ユニット２は、フィルタ２１と、ブラシ６１と、接地部材７０とを有する。フィルタ２１は、空気を通過させ空気中の塵埃を付着させる。ブラシ６１は、フィルタ２１に付着した塵埃を除去する。接地部材７０は、ブラシ６１が帯びる電荷を接地して逃がす。フィルタ２１とブラシ６１が接触して摩擦が生じても、ブラシ６１及びブラシ６１に付いた塵埃が帯電しないので、塵埃がブラシ６１から離れ易くなる。【選択図】図４
2008281315.tif 000002
【特許請求の範囲】
【請求項１】
フィルタ清掃機能を有する空気調和装置の室内ユニットであって、
空気を通過させ前記空気中の塵埃を付着させるフィルタ（２１）と、
前記フィルタ（２１）に付着した塵埃を除去するブラシ（６１）と、
前記ブラシ（６１）が帯びる電荷を接地して逃がす接地部材（７０，１７０，２７０）と、
を備えた、
空気調和装置の室内ユニット（２）。
【請求項２】
少なくとも前記ブラシ（６１）の毛（６１ａ）が、導電性材料で成形され前記接地部材（７０）と接続されている、
請求項１に記載の空気調和装置の室内ユニット（２）。
【請求項３】
前記ブラシ（６１）に付着した塵埃を除去する櫛部材（６９）をさらに備え、
前記櫛部材（６９）が、導電性材料で成形され前記接地部材（１７０）に接続されている、
請求項１に記載の空気調和装置の室内ユニット（２）。
【請求項４】
前記ブラシ（６１）に接触する導電部材（７１）をさらに備え、
前記導電部材（７１）が前記接地部材（２７０）に接続されている、
請求項１に記載の空気調和装置の室内ユニット（２）。
【請求項５】
前記接地部材（７０，１７０，２７０）は、
前記ブラシ（６１）が前記フィルタ（２１）に付着した塵埃を除去するときには、接地されていない状態となり、
前記ブラシ（６１）に付着した塵埃が前記ブラシ（６１）から除去されるときには、接地された状態となる、
請求項１から請求項４のいずれか１項に記載の空気調和装置の室内ユニット（２）。
【請求項６】
前記接地部材（７０，１７０，２７０）は、前記接地されてない状態と前記接地されている状態とを切り替えるスイッチ（７２）を有する、
請求項５に記載の空気調和装置の室内ユニット（２）。
【発明の詳細な説明】
【技術分野】
【０００１】
本発明は、空気調和装置の室内ユニットに関し、特にフィルタに付着した塵埃を自動的に除去するフィルタ清掃機能を備えた空気調和装置の室内ユニットに関する。
【背景技術】
【０００２】
近年、空気調和装置の室内ユニットとして、フィルタとブラシとを接触させた状態で相対移動させ、そのフィルタに付着した塵埃を除去するものが広く普及している（例えば、特許文献１参照）。特許文献１に記載のものは、フィルタにブラシを接触させ、そのフィルタをモータによって往復移動させている。ブラシによって払い取られた塵埃は、ブラシの周りに設けられた箱に貯められる。ブラシは、弾性および柔軟性を備えた高分子材料で成形されており、静電気によって塵埃がブラシに付着したままになることを防止するため、ブラシ材料には帯電防止剤が添加されている。
【特許文献１】特開２００５−２４１３５号公報
【発明の開示】
【発明が解決しようとする課題】
【０００３】
しかしながら、上記のような、ブラシ材料に帯電防止剤を添加する方法は、その効力に永続性がなく、時間の経過と共に効力が低下し、ブラシから塵埃が離れ難くなる。
【０００４】
本発明の課題は、ブラシの帯電を永続的に回避することができる空気調和装置の室内ユニットを提供することにある。
【課題を解決するための手段】
【０００５】
第１発明に係る空気調和装置の室内ユニットは、フィルタ清掃機能を有する空気調和装置の室内ユニットであって、フィルタと、ブラシと、接地部材とを有する。フィルタは、空気を通過させ空気中の塵埃を付着させる。ブラシは、フィルタに付着した塵埃を除去する。接地部材は、ブラシが帯びる電荷を接地して逃がす。
【０００６】
この室内ユニットでは、フィルタとブラシが接触して摩擦が生じても、ブラシ及びブラシに付いた塵埃が帯電しないので、塵埃がブラシから離れ易くなる。
【０００７】
第２発明に係る空気調和装置の室内ユニットは、第１発明に係る空気調和装置の室内ユニットであって、少なくともブラシの毛が、導電性材料で成形され接地部材と接続されている。
【０００８】
この室内ユニットでは、フィルタとブラシが接触して摩擦が生じても、ブラシ及びブラシに付いた塵埃が帯電しないので、塵埃がブラシから離れ易くなる。さらに、ブラシの毛が接地部材の機能を兼ねるので、部品点数の増加が抑制される。
【０００９】
第３発明に係る空気調和装置の室内ユニットは、第１発明に係る空気調和装置の室内ユニットであって、ブラシに付着した塵埃を除去する櫛部材をさらに備えている。櫛部材は、導電性材料で成形され接地部材に接続されている。
【００１０】
この室内ユニットでは、フィルタとブラシが接触して摩擦が生じても、ブラシ及びブラシに付いた塵埃が帯電しないので、塵埃がブラシから離れ易くなる。さらに、櫛部材が接地部材の機能を兼ねるので、部品点数の増加が抑制される。
【００１１】
第４発明に係る空気調和装置の室内ユニットは、第１発明に係る空気調和装置の室内ユニットであって、ブラシに接触する導電部材をさらに備えている。導電部材は、接地部材に接続されている。
【００１２】
この室内ユニットでは、フィルタとブラシが接触して摩擦が生じても、ブラシに帯びた電荷は、導電部材を介して逃げるので、ブラシ及びブラシに付着した塵埃が帯電せず、塵埃がブラシから離れ易くなる。
【００１３】
第５発明に係る空気調和装置の室内ユニットは、第１発明から第４発明のいずれか１つに係る空気調和装置の室内ユニットであって、接地部材が、ブラシがフィルタに付着した塵埃を除去するときには接地されていない状態となり、ブラシに付着した塵埃がブラシから除去されるときには接地された状態となる。
【００１４】
この室内ユニットでは、ブラシがフィルタから塵埃を除去するときは、ブラシの帯電を利用して塵埃をブラシに引き寄せ、ブラシから塵埃を取り除くときは、帯電を解消して塵埃が離れ易くする。
【００１５】
第６発明に係る空気調和装置の室内ユニットは、第５発明に係る空気調和装置の室内ユニットであって、接地部材が、接地されてない状態と接地されている状態とを切り替えるスイッチを有する。
【００１６】
この室内ユニットでは、簡単な構成で、接地と非接地の切り替えが容易に達成されるので、コスト増を抑制することができる。
【発明の効果】
【００１７】
第１発明に係る空気調和装置の室内ユニットでは、フィルタとブラシが接触して摩擦が生じても、ブラシ及びブラシに付いた塵埃が帯電しないので、塵埃がブラシから離れ易くなる。
【００１８】
第２発明に係る空気調和装置の室内ユニットでは、フィルタとブラシが接触して摩擦が生じても、ブラシ及びブラシに付いた塵埃が帯電しないので、塵埃がブラシから離れ易くなる。さらに、ブラシの毛が接地部材の機能を兼ねるので、部品点数の増加が抑制される。
【００１９】
第３発明に係る空気調和装置の室内ユニットでは、フィルタとブラシが接触して摩擦が生じても、ブラシ及びブラシに付いた塵埃が帯電しないので、塵埃がブラシから離れ易くなる。さらに、櫛部材が接地部材の機能を兼ねるので、部品点数の増加が抑制される。
【００２０】
第４発明に係る空気調和装置の室内ユニットでは、フィルタとブラシが接触して摩擦が生じても、ブラシに帯びた電荷は、導電部材を介して逃げるので、ブラシ及びブラシに付着した塵埃が帯電せず、塵埃がブラシから離れ易くなる。
【００２１】
第５発明に係る空気調和装置の室内ユニットでは、ブラシがフィルタから塵埃を除去するときは、ブラシの帯電を利用して塵埃をブラシに引き寄せ、ブラシから塵埃を取り除くときは、帯電を解消して塵埃が離れ易くする。
【００２２】
第６発明に係る空気調和装置の室内ユニットでは、簡単な構成で、接地と非接地の切り替えが容易に達成されるので、コスト増を抑制することができる。
【発明を実施するための最良の形態】
【００２３】
＜空気調和機の概略構成＞
以下図面を参照しながら、本発明の実施形態について説明する。なお、以下の実施形態は、本発明の具体例であって、本発明の技術的範囲を限定するものではない。
【００２４】
図１は、空気調和装置の外観図である。図１において、空気調和装置１は、室内に設置される室内ユニット２と、室外に設置される室外ユニット３とを有しており、室内の冷房および暖房を行うことができる。
【００２５】
室外ユニット３は、室外空調ユニット５と、室外空調ユニット５上に配置される調湿ユニット４とを有している。調湿ユニット４は、室外の空気を室内へ供給し、或いは室内の空気を室外へ排出することができる。室外ユニット３と室内ユニット２との間には、調湿ユニット４からの室外空気や調湿空気等を室内ユニット２側に供給するときに、或いは室内の空気を室外に排出するときに用いられる給排気ホース６が設けられている。
【００２６】
＜室内ユニット２＞
図２は、本発明の一実施形態に係る空気調和装置の室内ユニットの断面図である。室内ユニット２は、室内の壁面に取り付けられる壁掛け型の室内ユニットであり、図２に示すように、本体１０と、フレーム１１、室内熱交換器１２、ファン１３、フィルタ２１及びダストボックス６０等を有している。
【００２７】
本体１０は、グリル１０ａと前面パネル１０ｂと背面板１０ｃとを含む。グリル１０ａはフィルタ２１を覆うように配置されている。また、前面パネル１０ｂは、グリル１０ａの前面を覆うように取付けられている。
【００２８】
室内ユニット２の内部には、フレーム１１、室内熱交換器１２、ファン１３、及びフィルタ２１が配置されている。室内熱交換器１２及びファン１３は、フレーム１１に取り付けられている。室内熱交換器１２は、通過する空気との間で熱交換を行う。ファン１３は、室内から空気を取り込み、室内熱交換器１２に当てて通過させた後、室内に吹き出す。
【００２９】
フレーム１１の前面下部には、吹出し口１５が設けられており、吹出し口１５から吹き出される空気を案内する水平フラップ１７が、吹出し口１５に設けられている。水平フラップ１７は、空気の案内方向を変更したり、吹出し口１５を開閉したりすることができる。
【００３０】
グリル１０ａと室内熱交換器１２との間にはフィルタ２１が配置されており、室内熱交換器１２に向って流入してくる空気に含まれる塵埃を除去している。本実施形態では、塵埃が付着したフィルタ２１を自動清掃するために、フィルタ２１を移動させるローラー３１と、フィルタ２１及びローラー３１を支持するガイド部材４１とをさらに備えている。以下、フィルタ清掃機能に関連する部材について説明する。
【００３１】
＜フィルタ清掃機能の関連部材＞
（フィルタ２１）
フィルタ２１は、室内熱交換器１２の前面側に配置され、室内および室外から取り込まれた空気から塵埃を除去する。これにより、フィルタ２１は、空気中に浮遊する塵埃が室内熱交換器１２の表面を汚染することを防止している。フィルタ２１は、正規の状態では、室内熱交換器１２の前面側のほぼ全域を覆うように配置されている。フィルタ２１には、後述のピニオンギア３２と噛み合うラック２４が形成されている。
【００３２】
（ローラー３１）
ローラー３１は、ピニオンギア３２を有している。ピニオンギア３２は、フィルタ２１のラック２４と噛み合っており、ピニオンギア３２が回転することによって、フィルタ２１は上下に移動する。
【００３３】
（ガイド部材４１）
ガイド部材４１は、フィルタ２１が移動するための軌道となる案内溝と、ピニオンギア３２の回転軸を支持する軸受とを有している。
【００３４】
案内溝は、前方案内溝４２ａと下方案内溝４２ｂと後方案内溝４２ｃと上方案内溝４２ｄとから成る。前方案内溝４２ａ及び後方案内溝４２ｃの長さは、フィルタ２１の長手方向の約４分の３の長さに相当し、上方案内溝４２ｄの長さは、フィルタ２１の長手方向の約４分の１の長さに相当する。下方案内溝４２ｂは、前述したピニオンギア３２の歯先円と同軸の円弧軌道を形成しており、前方案内溝４２ａの下端と後方案内溝４２ｃの下端とを結んでいる。前方案内溝４２ａの上端と後方案内溝４２ｃの上端は、共に上方案内溝４２ｄの入口と繋がっている。
【００３５】
（位置検知手段５０）
フィルタ２１は、前述した案内溝に沿って移動し所定の位置で停止する。フィルタ２１の停止位置は、位置検知手段５０によって検知される。図２において、位置検知手段５０は、上方案内溝４２ｄの終端近傍に配置されている。位置検知手段５０は、リミットスイッチ５１、レバー５２及び回動部材５３を含む。リミットスイッチ５１は、内部の接点をボタンの移動によって開閉するものである。レバー５２は、リミットスイッチ５１の外側に蝶番式で装着されており、外力が加わると回動してリミットスイッチ５１のボタンを押す。回動部材５３は、フィルタ２１のコーナーと接触することによって回動し、レバー５２を押す。
【００３６】
（ダストボックス６０）
ダストボックス６０は、フィルタ２１から払い取られた塵埃を一時的に貯める機能を有している。ダストボックス６０は、本体１０の吹出し口１５の前上部位置に取り付けられている。このダストボックス６０は、前面パネル１０ｂが閉じられた状態でも、前面パネル１０ｂとは干渉することなく脱着することができる。また、ダストボックス６０には、ブラシ６１が配設されており、このブラシ６１がフィルタ２１に接触している。そして、ブラシ６１は、ブラシ駆動モータ（図示せず）によって回転駆動される。
【００３７】
図３は、本体から取り外されたダストボックスの斜視図である。図３において、ダストボックス６０は、外枠６０ｂと内枠６０ｃとを有している。内枠６０ｃには、円柱状のブラシ６１が回転可能な状態で収納されており、フィルタ２１と接触するブラシ６１の毛６１ａの一部が開口部６０ａから露出している。補強部６０ｄは開口部６０ａの対向する長辺同士を繋ぎ、開口部６０ａの変形を防止している。
【００３８】
（ブラシ６１）
図４は、図３のＡ−Ａ線に沿って切断したダストボックスの断面図である。図４において、ブラシ６１は、回転軸である軸６１ｂと、軸６１ｂから放射状に延びる毛６１ａと、毛６１ａを軸６１ｂに接合するテープ６１ｃとを有している。ブラシ６１は、毛６１ａが植えつけられたテープ６１ｃを、軸６１ｂへ螺旋状に巻きつけることによって製作される。
【００３９】
毛６１ａ、軸６１ｂ及びテープ６１ｃは、帯電防止のために導電性の材料で成形されている。例えば、毛６１ａは、柔軟性が要求されるので、ポリアミド樹脂にカーボンを含有させた直径約０．１５ｍｍの導電性毛材で成形されている。軸６１ｂは、強度と加工性が要求されるので、アルミニウム又はアルミニウム合金で成形されている。テープ６１ｃは、薄さが要求されるので、約３０μｍのアルミニウム基材にＮｉ粉を含む導電性粘着剤を接合したテープ材で成形されている。但し、毛６１ａ、軸６１ｂ及びテープ６１ｃの材料は、前記材料に限定されるものではない。
【００４０】
（櫛部材６９）
ブラシ６１によってフィルタ２１から払い取られた塵埃は、一部はダストボックス６０内に落下するが、他の塵埃はブラシ６１の毛６１ａに付着する。毛６１ａに付着した塵埃を除去してダストボックス６０内に落とすために、櫛状に加工された櫛部材６９が、ダストボックス６０内で毛６１ａと接触し、毛６１ａに付着した塵埃をかき落としている。
【００４１】
（接地部材７０）
ブラシ６１の毛６１ａは導電性の毛材で成形されているので、静電気の発生は抑制されている。しかし、毛６１ａは、金属に比べて電気抵抗が高くある程度電荷を帯びるため、毛６１ａに付着した塵埃が離れ難い。そこで、毛６１ａが帯びた電荷を逃がすために、軸６１ｂが接地部材７０に接続されている。
【００４２】
接地部材７０は銅又は銅合金からなる導体であり、一端が室内ユニット２に収納されている制御基板の基準電位点に接続されている。毛６１ａが帯びた電荷は、テープ６１ｃ、軸６１ｂ、及び接地部材７０を経て基準電位点に流れるので、ブラシ６１には電荷は残らず、塵埃が毛６１ａから離れ易くなる。
【００４３】
（スイッチ７２）
スイッチ７２は、接地部材７０を接地されていない状態、又は接地されている状態のいずれか一方に切り替えることができるスイッチである。接地部材７０が接地されていない状態とは、スイッチ７２の接点が開いたＯＦＦ状態であり、前記基準電位点と電気的に繋がっていない状態である。接地部材７０が接地されている状態とは、スイッチ７２の接点が閉じたＯＮ状態であり、前記基準電位点と電気的に繋がっている状態である。
【００４４】
ブラシ６１が電荷を帯びると塵埃を引き寄せ易くなるので、ブラシ６１が回転してフィルタ２１の塵埃を除去しているときは、スイッチ７２をＯＦＦにして接地部材７０を接地されていない状態にして、毛６１ａに塵埃を引き寄せる。一方、ブラシ６１の毛６１ａに付着した塵埃を除去するときは、スイッチ７２をＯＮにして接地部材７０を接地された状態にして、ブラシ６１の毛６１ａから塵埃が落ち易くする。
【００４５】
スイッチ７２をＯＮにするかＯＦＦにするかはユーザー側で選択できる。本実施形態では、フィルタ２１に付着した塵埃をブラシ６１の毛６１ａで払い取りながら、毛６１ａに付着した塵埃を櫛部材６９でかき落とすので、スイッチ７２は、常時０Ｎとしている。スイッチ７２は、電磁力で接点を開閉するリレーなどの接点式スイッチ、或はトランジスタなどを使用した無接点スイッチのいずれでもよい。
【００４６】
＜フィルタ清掃動作＞
室内ユニット２では、制御部により定期的に、或いは使用者が必要とするときにリモコンによってフィルタ２１が自動的に清掃される。以下、その仕組みについて説明する。
【００４７】
図２において、フィルタ２１のラック２４は、前方案内溝４２ａと上方案内溝４２ｄとに収まっており、ラック２４の一端（以後、第１端部２４ａとよぶ）はピニオンギア３２と噛み合っている。ローラー３１が回転すると、ピニオンギア３２からラック２４に回転が伝達され、フィルタ２１は、ローラー３１によって下方案内溝４２ｂで方向転換して後方案内溝４２ｃ側へ搬送される。ローラー３１が回転し続けると、ラック２４の第１端部２４ａは上方案内溝４２ｄに入り上方案内溝４２ｄの終端に到達する。
【００４８】
ラック２４の第１端部２４ａが上方案内溝４２ｄの終端に到達すると、第１端部２４ａが位置検知手段５０の回動部材５３を押して回動させる。回動部材５３の回動は、レバー５２に伝達され、レバー５２によってリミットスイッチ５１のボタンが押されオン動作する。空気調和装置の制御部は、リミットスイッチ５１から出力されるオン信号からラック２４の第１端部２４ａが上方案内溝４２ｄの終端に到達したと判断し、ローラー３１の回転を停止させる。このとき、フィルタ２１のラック２４は、後方案内溝４２ｃと上方案内溝４２ｄとに収まっており、ラック２４の他端（以後、第２端部２４ｂとよぶ）はピニオンギア３２と噛み合っている。
【００４９】
フィルタ２１が移動する際に、フィルタ２１の表面に付着していた塵埃はブラシ６１によって払い取られ、ダストボックス６０に貯えられる。ブラシ６１は、少なくともフィルタ２１が前方から後方へ移動している期間中は回転しており、その回転方向は、フィルタ２１の進行方向に逆らう方向である。
【００５０】
フィルタ２１と毛６１ａとの摩擦によって毛６１ａは帯電するが、毛６１ａが帯びた電荷は、テープ６１ｃ、軸６１ｂ、及び接地部材７０を経て基準電位点に流れるので、ブラシ６１には電荷は残らず、塵埃が毛６１ａから離れ易くなっている。
【００５１】
フィルタ２１が前方から後方へ移動し塵埃の除去が終了すると、制御部は、ローラー３１を逆回転させる。フィルタ２１のラック２４の第２端部２４ｂは、ピニオンギア３２と噛み合っているので、ピニオンギア３２からラック２４に回転が伝達され、フィルタ２１は、ローラー３１によって下方案内溝４２ｂで方向転換して前方案内溝４２ａ側へ搬送される。ローラー３１が逆回転し続けると、ラック２４の第２端部２４ｂは上方案内溝４２ｄに入り上方案内溝４２ｄの終端に到達する。
【００５２】
ラック２４の第２端部２４ｂが上方案内溝４２ｄの終端に到達すると、第２端部２４ｂが位置検知手段５０の回動部材５３を押して回動させる。回動部材５３の回動は、レバー５２に伝達され、レバー５２によってリミットスイッチ５１のボタンが押されオン動作する。空気調和装置の制御部は、リミットスイッチ５１から出力されるオン信号からラック２４の第２端部２４ｂが上方案内溝４２ｄの終端に到達したと判断し、ローラー３１の回転を停止させる。
【００５３】
〔変形例〕
上記実施形態では、ブラシ６１を導電体として接地部材７０に接続し、ブラシ６１の帯電防止を行なったが、これに限定されるものではない。以下、ブラシ６１の他の帯電防止方法を第１変形例、第２変形例で説明する。
【００５４】
＜第１変形例＞
第１変形例では、ブラシ、櫛部材および接地部材について説明し、その他は上記実施形態と同様であるので説明は省略する。
【００５５】
（ブラシ６１）
図５は、第１変形例のダストボックスの断面図である。図５において、ブラシ６１は、回転軸である軸６１ｂと、軸６１ｂから放射状に延びる毛６１ａと、毛６１ａを軸６１ｂに接合するテープ６１ｃとを有している。ブラシ６１は、毛６１ａが植えつけられたテープ６１ｃを、軸６１ｂへ螺旋状に巻きつけることによって製作される。
【００５６】
毛６１ａは、直径約０．１５ｍｍの樹脂製毛材で成形されている。軸６１ｂは、アルミニウム又はアルミニウム合金で成形されている。テープ６１ｃは、樹脂製基材に粘着剤を接合したテープ材で成形されている。但し、毛６１ａ、軸６１ｂ及びテープ６１ｃの材料は、前記材料に限定されるものではない。
【００５７】
（櫛部材６９）
ブラシ６１によってフィルタ２１から払い取られた塵埃は、一部はダストボックス６０内に落下するが、その他の塵埃はブラシ６１の毛６１ａに付着する。櫛部材６９は、導電性材料で櫛状に加工されており、ダストボックス６０内で毛６１ａと接触し、毛６１ａに付着した塵埃をかき落としている。櫛部材６９は、櫛状に打ち抜かれた平板を曲げ加工したものであるので、材料は加工性の良いアルミニウム合金、又は銅合金から選択される。
【００５８】
（接地部材１７０）
櫛部材６９には、接地部材１７０が接続されている。接地部材１７０は銅又は銅合金からなる導体であり、一端が室内ユニット２に収納されている制御基板の基準電位点に接続されている。フィルタ２１が移動する際に、フィルタ２１の表面に付着していた塵埃はブラシ６１の毛６１ａによって払い取られ、ダストボックス６０に貯えられる。フィルタ２１と毛６１ａとの摩擦によって毛６１ａは帯電するが、櫛部材６９が接地部材１７０に接続されているので、毛６１ａが帯びた電荷は、櫛部材６９及び接地部材１７０を経て基準電位点に流れる。その結果、ブラシ６１には電荷は残らず、塵埃が毛６１ａから離れ易くなっている。
【００５９】
＜第２変形例＞
第２変形例では、ブラシ、接地部材及び新たに記載する導電部材についてのみ説明し、その他は上記実施形態と同様であるので説明は省略する。
【００６０】
（ブラシ６１）
図６は、第２変形例のダストボックスの断面図である。図６において、ブラシ６１は、回転軸である軸６１ｂと、軸６１ｂから放射状に所定長さで延びる毛６１ａと、毛６１ａを軸６１ｂに接合するテープ６１ｃとを有している。ブラシ６１は、毛６１ａが植えつけられたテープ６１ｃを、軸６１ｂへ螺旋状に巻きつけることによって製作される。
【００６１】
毛６１ａは、直径約０．１５ｍｍの樹脂製毛材で成形されている。軸６１ｂは、アルミニウム又はアルミニウム合金で成形されている。テープ６１ｃは、樹脂製基材に粘着剤を接合したテープ材で成形されている。但し、毛６１ａ、軸６１ｂ及びテープ６１ｃの材料は、前記材料に限定されるものではない。
【００６２】
（導電部材７１）
導電部材７１は、導電性材料で成形された棒状の導体であり、ブラシ６１の毛６１ａに接触しており、一端が後述の接地部材２７０に接続されている。導電部材７１の材料は、加工性の良いアルミニウム合金、又は銅合金から選択される。
【００６３】
（接地部材２７０）
導電部材７１には、接地部材２７０が接続されている。接地部材２７０は銅又は銅合金からなる導体であり、一端が室内ユニット２に収納されている制御基板の基準電位点に接続されている。フィルタ２１が移動する際に、フィルタ２１の表面に付着していた塵埃はブラシ６１の毛６１ａによって払い取られ、ダストボックス６０に貯えられる。フィルタ２１と毛６１ａとの摩擦によって毛６１ａは帯電するが、導電部材７１が接地部材２７０に接続されているので、毛６１ａが帯びた電荷は、導電部材７１及び接地部材２７０を経て基準電位点に流れる。その結果、ブラシ６１には電荷は残らず、塵埃が毛６１ａから離れ易くなっている。
【００６４】
＜特徴＞
（１）
この室内ユニット２では、ブラシ６１の毛が、導電性材料で成形され接地部材７０と接続されているので、フィルタ２１とブラシ６１が接触して摩擦が生じても、ブラシ６１及びブラシ６１に付いた塵埃が帯電しないので、塵埃がブラシ６１から離れ易くなる。さらに、ブラシの毛が接地部材の機能を兼ねるので、部品点数の増加が抑制される。
【００６５】
また、ブラシ６１に替わって、ブラシ６１と接触する櫛部材６９を、導電性材料で成形し接地部材１７０に接続してもよい。この場合も、櫛部材６９が接地部材の機能を兼ねるので、部品点数の増加が抑制される。また、ブラシ６１に接触する導電部材７１を新たに設けて、接地部材２７０に接続してもよい。
【００６６】
（２）
この室内ユニット２では、接地部材７０，１７０，２７０が、接地されてない状態と接地されている状態とを切り替えるスイッチ７２を有している。ブラシ６１がフィルタ２１に付着した塵埃を除去するときにスイッチ７２がＯＦＦになると、ブラシ６１が帯電して塵埃をブラシ６１に引き寄せる。ブラシ６１に付着した塵埃がブラシ６１から除去されるときにスイッチ７２がＯＮになると、ブラシ６１の帯電が解消され塵埃が離れ易くなる。スイッチ７２によって、接地と非接地の切り替えが容易に達成される。
【産業上の利用可能性】
【００６７】
以上のように、本発明によれば、ブラシが帯電せず塵埃がブラシから除去され易くなるので、フィルタに付着した塵埃をブラシで払い取るフィルタ清掃機能を有する空気調和装置の室内ユニットに有用である。
【図面の簡単な説明】
【００６８】
【図１】空気調和装置の外観図。
【図２】本発明の一実施形態に係る空気調和装置の室内ユニットの断面図。
【図３】本体から取り外されたダストボックスの斜視図。
【図４】図３のＡ−Ａ線に沿って切断したダストボックスの断面図。
【図５】第１変形例のダストボックスの断面図。
【図６】第２変形例のダストボックスの断面図。
【符号の説明】
【００６９】
２  室内ユニット
２１  フィルタ
６１  ブラシ
６９  櫛部材
７０，１７０，２７０  接地部材
７１  導電部材
７２  スイッチ
【図１】
2008281315.tif 000003
【図２】
2008281315.tif 000004
【図３】
2008281315.tif 000005
【図４】
2008281315.tif 000006
【図５】
2008281315.tif 000007
【図６】
2008281315.tif 000008